(57)【要約】  プロテーゼが固定され得るブリッジ構造体を形成するための構成体が、開示される。前記構成体は、以下の構成要素、すなわち、第１の連結要素１０であって、インプラントに対してある特定の角度位置において第１の連結要素を固定するために、固定ねじ３０の端部３０ｃを中に案内し得る貫通穴１１を有する第１の端部１０ａを有し、ブリッジ４０に連結され得る第２の端部１０ｂを有する、第１の連結要素１０と、第２の連結要素３０、４０であって、これら２つの連結要素が互いに対して移動可能となるように、解除可能な連結により第１の連結要素に連結され得る、第２の連結要素３０、４０と、これら２つの連結要素が連結され移動される際に、これらの連結要素が分離するのを防ぐ、固定手段３０ｃ、１８とを備える。第２の実施例においては、２つの連結要素６０、１０’はそれぞれ、実質的に球状の内側面及び実質的に球状の外側面６６、１５’を有する端部を備える。第３の実施例においては、固定ねじ３０の頭部３０ａが、第１の実質的に球状の外側面及び第２の実質的に円錐状の外側面を有する。
2010538706.tif 000002
【特許請求の範囲】
【請求項１】
プロテーゼが固定され得るバー構造体を形成するための構成体であって、
第１の連結要素（１０；１０’；６０）であって、
インプラントに対してある特定の角度位置においてこの第１の連結要素を固定するために固定ねじ（３０）の端部（３０ｃ）が貫通し得る貫通開口（１１）を有する、第１の端部（１０ａ；１０’ａ；６０ａ）、及び
バー（４０）に連結可能である第２の端部（１０ｂ；６０ｂ）
を有する、第１の連結要素（１０；１０’；６０）と、
第２の連結要素（３０；４０；１０’）であって、これら２つの連結要素が互いに対して移動可能となるように、解除可能な連結によって前記第１の連結要素に連結可能である、第２の連結要素（３０；４０；１０’）と
を備える、構成体において、
これら２つの連結要素が連結され移動される際に、これら２つの連結要素が互いから分離するのを妨げる固定手段（１１ｄ、１４、３０ｃ；１８、１９；６４）を特徴とする、構成体。
【請求項２】
前記第２の連結要素は、固定ねじ（３０）であり、前記固定手段は、前記固定ねじの端部（３０ｃ）を中にねじ込み得る、前記貫通開口（１１）中に形成されたねじ山部（１４）を備える、請求項１に記載の構成体。
【請求項３】
前記貫通開口（１１）は、前記ねじ山部（１４）を備える細長穴（１１ｄ）を有する、請求項２に記載の構成体。
【請求項４】
前記第１の連結要素（６０）の第１の端部（６０ａ）が、ボウル形態構造からなり、スナップ作用連結によって、前記第２の連結要素（１０’）の第３の端部（１０’ａ）に連結されるようになされる、請求項１から３までのいずれか一項に記載の構成体。
【請求項５】
前記第１の端部（６０ａ）は、フィンガ（６４）を有する、請求項４に記載の構成体。
【請求項６】
前記第１の連結要素（１０；１０’；６０）の前記第２の端部（１０ｂ；６０ｂ）は、ロッドの形態であり、前記第２の連結要素は、前記第２の端部に固定可能なバー（４０）である、請求項１から５までのいずれか一項に記載の構成体。
【請求項７】
前記固定手段（１１ｄ、１４；１８、１９；６４）は、前記バー（４０）に力を加えるために、前記第２の端部（１０ｂ；６０ｂ）に配置されたクランプ手段（１８、１９）を備える、請求項６に記載の構成体。
【請求項８】
前記第２の端部（１０ｂ；６０ｂ）は、クランプ手段（１８、１９）を形成するために少なくとも１つのスロット（１８）を有する、及び／又は、広がるように設計される、請求項７に記載の構成体。
【請求項９】
前記第１の連結要素（１０；１０’；６０）の前記第１の端部（１０ａ；１０’ａ；６０ａ）は、実質的に球状の外面（１５；１５’；６６）、及び／又は実質的に球状の内面（１１ｃ；６５）を備える、請求項１から８までのいずれか一項に記載の構成体。
【請求項１０】
前記第２の連結要素（３０；１０’）は、実質的に球状の外面（３１；１５’）及び／又は実質的に球状の内面（１１ｃ）を備える、端部（３０ａ；１０’ａ）を有する、請求項１から９までのいずれか一項に記載の構成体。
【請求項１１】
プロテーゼが固定され得るバー構造体を形成するための構成体であって、
第１の連結要素（６０）であって、
第１の貫通開口（６１）を有する第１の端部（６０ａ）、及び
第１のバー（４０）に連結可能な第２の端部（６０ｂ）
を有する、第１の連結要素（６０）と、
第２の連結要素（１０’）であって、
第２の貫通開口（６１）を有する第３の端部（１０’ａ）、及び
第２のバー（４０）に連結可能な第４の端部（１０ｂ）
を有する、第２の連結要素（１０’）と
を備える、構成体において、
各場合において、前記第１の端部（６０ａ）及び前記第３の端部（１０’ａ）は、実質的に球状の内面（６５、３１）、及び実質的に球状の外面（６６、１５’）を備えることを特徴とする、構成体。
【請求項１２】
前記第１の連結要素（６０）の前記第１の端部（６０ａ）は、ボウル形態構造からなり、スナップ作用連結により、前記第２の連結要素（１０’）に連結可能である、請求項１１に記載の構成体。
【請求項１３】
前記第１の端部（１０ａ；１０’ａ）は、前記の又は１つの固定ねじ（３０）の前記頭部（３０ａ）が中に沈むことが可能な環状構造からなる、請求項１から１２までのいずれか一項に記載の構成体。
【請求項１４】
前記第１の連結要素（１０、１０’；６０）の両端部（１０ａ、１０ｂ；１０’ａ、１０ｂ；６０ａ、６０ｂ）が、互いに対して剛体的に連結され、これは、好ましくは単体部材として製造される、請求項１から１３までのいずれか一項に記載の構成体。
【請求項１５】
前記インプラントに固定可能であり、球状支持面（５１）を備える、少なくとも１つのアバットメント（５０）を有する、請求項１から１４までのいずれか一項に記載の構成体。
【請求項１６】
ネック部（３０ｂ）によって前記ねじ付き端部（３０ｃ）に連結される頭部（３０ａ）を有する、請求項１から１５までのいずれか一項に記載の構成体のための固定ねじ（３０）において、
前記頭部（３０ａ）は、第１の実質的に球状の外面（３１）及び第２の実質的に円錐状の外面（３２）を備えることを特徴とする、固定ねじ（３０）。
【請求項１７】
前記ネック部（３０ｂ）の直径が、前記ねじ付き端部（３０ｃ）の直径よりも小さい、請求項１６に記載の固定ねじ（３０）。
【請求項１８】
前記頭部（３０ａ）は、好ましくは多辺形である凹部（３３）を有する、請求項１６又は１７に記載の固定ねじ（３０）。
【発明の詳細な説明】
【技術分野】
【０００１】
本発明は、バー構造体を形成するための構成体及び構成体用の固定ねじに関する。
【背景技術】
【０００２】
義歯を固定的に設置するために、インプラントに固定され得るバー構造体が使用される。インプラントが、下顎骨の上で互いに対して平行に配置されない場合には、インプラントのその角度位置に対してバー構造体を適合化させることが可能となるように、バー構造体に対して事前措置をとる必要がある。
【０００３】
特許文献１は、緩連結要素が、固定ねじの形態の他の連結要素によって固定される構成体を開示している。これらの連結要素は、小さく、したがって、取り扱いづらい。このバー構造体が、口内に配置される際に、個々の連結要素が、患者の咽頭内に落下し、嚥下され、最悪の場合には気道又は肺にさえも進入し得る（誤嚥）危険がある。さらに、この構成体は、形成されるバー構造体の高さが比較的高いという欠点を有する。
【０００４】
特許文献２、特許文献３、及び特許文献４は、複数の緩連結要素を有する他の構成体を開示している。これらもやはり、小さく、そのため、取扱いに関して上述の欠点を有する。
【先行技術文献】
【特許文献】
【０００５】
【特許文献１】米国特許第５，２１９，２８６号明細書
【特許文献２】ヨーロッパ特許第３９３３２４号公報
【特許文献３】ドイツ特許４２１１５６１号公報
【特許文献４】米国特許第２００４／００７８０４０号公報
【発明の概要】
【発明が解決しようとする課題】
【０００６】
この最新技術を端緒とし、本発明の第１の目的は、取扱いがより容易であるバー構造体を形成するための構成体を作成することである。
【０００７】
この課題を解決する一構成体が、請求項１に明示される。
【０００８】
本発明の第２の目的は、一構成体と、高さのより低いバー構造体を可能にする固定ねじとを明示することである。この課題は、請求項１１による一構成体と、請求項１６による固定ねじとによって、解決される。
【０００９】
他の請求項が、この構成体及び固定ねじの好ましい実施例を明示する。
【００１０】
以下、図面を参照とする例示的な実施例により、本発明を説明する。
【図面の簡単な説明】
【００１１】
【図１】バー構造体の第１の実施例を形成するための、本発明による接合部品の斜視図である。
【図２】図３の線ＩＩ−ＩＩに沿った、図１による接合部品の断面図である。
【図３】図１による接合部品の平面図である。
【図４】図１による接合部品を固定するための固定ねじの斜視図である。
【図５】図４による固定ねじの側断面図である。
【図６】図１による接合部品及び図４による固定ねじによる、バー構造体の第１の実施例の部分破断斜視図である。
【図７】図６の断面ＶＩＩ−ＶＩＩにおける、アバットメント上に位置する図６によるバー構造体の図である。
【図８】バー構造体の第２の実施例を形成するための、本発明による第１の接合部品の斜視図である。
【図９】図１０の線ＩＸ−ＩＸに沿った、図８による接合部品の断面図である。
【図１０】図８による接合部品の平面図である。
【図１１】バー構造体の第２の実施例を形成するための、本発明による第２の接合部品の斜視図である。
【図１２】図１３の線ＸＩＩ−ＸＩＩに沿った、図１１による接合部品の断面図である。
【図１３】図１１による接合部品の平面図である。
【図１４】図１１による接合部品の正面図である。
【図１５】図１、図８、及び図１１による接合部品及び図４による固定ねじを備える、バー構造体の第２の実施例の部分破断斜視図である。
【図１６】図１５によるバー構造体の平面図である。
【図１７】図１６の断面ＸＶＩＩ−ＸＶＩＩにおける、アバットメント上に位置する図１５によるバー構造体の図である。
【実施例１】
【００１２】
「バー構造体の第１の例示的な実施例」
図１から図３に図示される接合部品１０、並びに図４及び図５に図示される固定ねじ３０は、図６及び図７に図示されるように、バー構造体を形成するための連結要素である。
【００１３】
図１から図３により明らかであるように、接合部品１０は、環状端部１０ａを備え、この環状端部１０ａから、スタッド１０ｂの形態のロッド形態端部が側方に延在する。２つの端部１０ａ及び１０ｂは、例えば接合部品１０が単体部材として製造されることなどによって、互いに剛体的に連結される。環状端部１０ａは、図２に描かれる破線軸線ｘ及びｚにより明らかであるように、スタッド１０ｂの長手方向に対して横軸方向に延在する貫通開口１１を有する。
【００１４】
貫通開口１１の形状は、咬合端部から先端部へと見た場合に、以下の内面、すなわち、
−  第１のテーパ状内面１１ａ、
−  第２の、実質的に円筒状の内面１１ｂ、
−  固定ねじ３０用のボール・ソケットとしての役割を果たす、第３の、実質的に球状の内面１１ｃ、及び、
−  雌ねじ部１４を備え、固定ねじ３０のねじ山部に合致する構成を有する、細長穴によって形成される第４の内面１１ｄ
から構成される面によって、画定される。細長穴は、スタッド１０ｂの長手方向１３に延在する。
【００１５】
環状端部１０ａの外面１５は、実質的に球状であり、組付け後には、球状支持面に当接する。
【００１６】
球状内面１１ｃ及び球状外面１５は、それぞれ、１つの球の上に位置する。これら２つの球は、それぞれ異なる半径を有するが、図２及び図３に描かれる３つの軸線ｘ、ｙ、及びｚの交点に対応する同一の中心１２を有する。
【００１７】
スタッド１０ｂは、カラー１６を有し、円筒状部分１７がこれに隣接し、この円筒状部分１７は、スタッド端部１８になる。
【００１８】
この部分１７は、外径ｄを有し、これは、受容されることとなる管状バーの内径に対応するようになされる。
【００１９】
スタッド端部１８は、１つ又は複数のスロット１９を備え、ラジアル方向に外方に広がる。この構成により、弾性舌部の形態のクランプ手段が提供され、この弾性舌部は、管状バーがスタッド１０ｂ上に押し付けられる際に、管状バーを圧迫する。
【００２０】
図４及び図５に図示される固定ねじ３０は、ねじ頭部３０ａを備え、このねじ頭部３０ａは、ネック部３０ｂによって、ねじ山部を備えるねじ端部３０ｃに連結される。
【００２１】
組み付けられた状態においては、接合部品１０及び固定ねじ３０は、玉継手を形成する。このために、ネック部３０ｂに隣接するねじ頭部３０ａの外面３１は、実質的に球状であり、接合部品１０内への挿入後には、球状内面１１ｃに当接する。球状外面３１と、ねじ頭部３０ａの自由端部との間において、外面３２は、円錐状である。この組み付けられた状態において、固定ねじ３０が、接合部品１０に対して傾斜されると、円錐状外面３２の一部が、接合部品１０の円筒状内面１１ｂに当接する。
【００２２】
ねじ頭部３０ａは、凹部３３を備え、この凹部３３の断面は、円形とは異なり、例えば多辺形などである。固定ねじ３０を装着するためには、凹部３３の形状と相補的な端部を有するねじ回しが、凹部３３内に挿入される。
【００２３】
とりわけ図５が図示するように、ネック部３０ｂの直径は、ねじ山部３０ｃの直径よりも小さい。ネック部３０ｂの長さは、接合部品１０中のねじ山部１４の長さよりも長い。
【００２４】
接合部品１０及び固定ねじ３０は、ねじ端部３０ｃを接合部品１０の貫通開口１１内に挿入すること、及び、このねじ端部３０ｃをねじ山部１４内にねじ込むことによって、共に接合される。次いで、固定ねじ３０は、ねじ端部３０ｃがねじ込まれてねじ山部１４を完全に貫通し、ネック部３０ｂが細長穴１１ｄ内に位置するようになるまで、回される。図３による平面図において示されるように、細長穴１１ｄの寸法は、ネック部３０ｂよりも大きいが、ねじ端部３０ｃよりも小さい。したがって、接合部品１０及び固定ねじ３０は、固定ねじ３０が接合部品１０から離脱されることが不可能な状態にて、互いに対して移動可能となり、とりわけ枢動可能となる。
【００２５】
図６は、固定ねじ３０がそれぞれの中に挿入される２つの接合部品１０を有し、２つの接合部品１０に連結されるバー４０の形態の連結要素を有する、バー構造体を図示する。
【００２６】
バー４０は、円形内方形状及び円形外方形状を有する管の形態である。管状バー４０の内径は、接合部品１０の第２の端部１０ｂの円筒部分１７の外径ｄに対応する。カラー１６の直径は、管状バー４０の直径に合わされ、それにより、実質的に連続的な移行部が形成される。弾性的に構造化されたスタッド端部１８により、接合部品１０は、２つの部品１０及び４０が互いに対して移動可能であるが、この連結の分離が防止されるように、管状バー４０にて保持される。スタッド１０ｂが、管状バー４０内に挿入される際には、ある一定の力が、克服されなければならず、さらに、２つの部品１０及び４０が後に再び分離されることとなる場合には、ある一定の力が、加えられなければならない。
【００２７】
バー構造体は、患者の下顎骨中に固定される２つのインプラントに固定され得る。このために、例えば歯科医師又は歯科技工士などのユーザは、２つのインプラント間の所与の距離に対応するように管状バー４０を切断し、ねじ端部３０ｃが接合部品１０の底部から出現するまで、接合部品１０内に固定ねじ３０をねじ込み、管状バー４０内にスタッド１０ｂを挿入する。次いで、個々の連結要素１０、３０、及び４０が、共に接合されて、それらが共に固定的に保持されるが互いに対して移動可能となるように、集合構造体が形成される。これにより、構造体が患者の口内に配置される際の、個々の連結要素の離脱が防止され、患者が連結要素を嚥下する可能性が回避される。
【００２８】
接合部品１０によりそれらの外面１５によって当接される球状支持面５１が、図７に図示されるように、バー構造体を設置するために使用される。各支持面５１は、例えばねじ式連結などによりインプラントに固定される、例えばアバットメントの形態の連結要素５０の一部である。アバットメントは、バー構造体をそれによってインプラントに固定させることが可能な、任意の適切な連結構成要素であると理解される。さらに、インプラント上に直に支持面５１を設けることも可能である。
【００２９】
組み付けられた状態において、支持面５１は、球状面１１ｃ及び３１の中心１２と一致する中心を有する１つの球の上に位置する。接合部品１０及び固定ねじ３０、並びに接合部品１０及び支持面５１は、それぞれ、玉継手を形成する。固定ねじ３０及びインプラントは、組み付けられた状態においては、ｚ軸線の方向に延在する。図６及び図７において、２つのインプラントが互いに対して平行に配置される状況が、図示される。この「理想的な状態」においては、接合部品１０は、ｚ方向に位置合わせされ、そのため、バー４０は、この方向に対して直角に配置される。インプラントの所与の角度位置に応じて、各接合部品１０は、固定ねじ３０に対して傾斜されることとなる。球面１１ｃ及び３１、並びに１５及び５１により、接合部品１０は、あらゆる方向に枢動することが可能となる。細長穴１１ｄの幾何学形状により、接合部品１０は、ｙｚ平面内における場合よりも大きな傾斜角度だけｘｚ平面内において傾斜され得る。
【００３０】
義歯を、例えばマトリクスなどの既知の手段によって、バー４０に固定することが可能である。
【００３１】
接合部品１０の傾斜角度にかかわらず、ねじ頭部３０ａは、貫通開口１１内に広く受容される。固定ねじ３０のこの皿もみ（ｃｏｕｎｔｅｒ−ｓｉｎｋｉｎｇ）により、バー構造体の高さが低くなる。
【実施例２】
【００３２】
「バー構造体の第２の例示的な実施例」
図８から図１０に図示される第１の接合部品１０’、及び図１１から図１４に図示される第２の接合部品６０は、図１５から図１７に図示されるように、４つのインプラント用のバー構造体を形成するための連結要素である。
【００３３】
図８から図１０による第１の接合部品１０’は、第１の例示的な実施例による接合部品１０と実質的に同一の構造からなり、同一の参照番号が、同一の要素に対して使用される。接合部品１０’は、主に、環状端部１０’ａの壁部厚さが比較的薄く、その結果として、外面１５’が外面１５の球半径よりも小さな半径を有する１つの球の上に位置する点において、接合部品１０と本質的に異なる。
【００３４】
図１１から図１４に図示される第２の接合部品６０は、追加のバーをインプラントの上に設置することを可能にするために、使用される。接合部品６０は、接合端部６０ａ及びロッド形態端部６０ｂを備え、このロッド形態端部６０ｂは、接合端部６０ａから側方に延在し、接合端部６０ａに剛体的に接合される。ロッド形態端部６０ｂは、接合部品１０及び１０’の端部１０ｂと同一の構造からなると、有利である。
【００３５】
接合端部６０ａは、固定ねじ３０の端部を中に押し込むことが可能な貫通開口６１を有する。貫通開口６１は、端部６０ｂの方向に延在し、断面が細長穴１１ｄよりも幾分大きくなされた、細長穴の形態である。
【００３６】
接合端部６０ａは、ボウルの形態である。ボウルは、各場合において第１の接合部品１０’の端部１０ｂが貫通して突出することが可能な２つの側方凹部６３ａ及び６３ｂ、並びに、凹部６３ａと６３ｂとの間に配置されるフィンガ６４を有する。
【００３７】
一方において、接合端部６０ａは、第１の接合部品１０’用のボール・ソケットとしての役割を果たし、このために、実質的に球状の内面６５を有し、接合部品１０’の外面１５’は、この内面６５に当接することが可能であり、内面６５は、ｚ方向において見た場合に、フィンガ６４の高さの上方に延在する。
【００３８】
他方において、接合端部６０ａは、組付け後に当接する支持面と共に、他の玉継手を形成する。このために、接合端部６０ａは、実質的に球状の外面６６を有する。面６５及び６６はそれぞれ、組付け後に第１の接合部品１０’が枢動可能である中心１２と一致する、共通の中心１２を有する球の上に位置する。
【００３９】
フィンガ６４は、弾性構造体からなり、そのため、加えられた力を受けると、端部６０ｂに対するその位置が変化し、この力が中断されると、フィンガ６４は再びその元の位置をとる。球面６５の半径は、球面１５’の半径よりも少し小さくなるように選択される。端部１０’ａが、端部６０ａ内にクリップ留めされる場合には、離脱を防止するスナップ作用連結部が、第１の接合部品１０’と第２の接合部品６０との間に形成される。同時に、フィンガ６４は、端部１０’と端部６０ａとの間にクランプ留めが生じるように、端部１０’ａを圧迫する。
【００４０】
接合端部６０ａの壁部厚さは、内面６５が、第１の例示的な実施例の接合部品１０の外面１５と同一の距離だけ、中心１２から離間されるように選択されると、好ましい。
【００４１】
連結要素１０、１０’、３０、４０、及び６０は、それぞれ、単体部材として製造され得る。しかし、必要な場合には、これらは、複数の部材として製造され、共に接合されることにより、個々の連結要素が形成されてよい。製造に適する材料は、例えば金属、とりわけ純チタンなどのチタンなど、口腔環境に対して耐性のある材料である。インプラントと同一の材料を使用することが可能である。連結要素１０、１０’、３０、４０、及び６０の外方形状は、とりわけ負傷の危険性を抑制するように、丸められると好ましい。
【００４２】
連結要素１０、１０’、３０、４０、及び６０は、図１５から図１７に図示されるように、共に接合されることにより、バー構造体７０を形成することが可能である。この場合には、接合部品１０及び１０’中のねじ山部１４を有する穴１１ｄ、接合部品６０の場合におけるフィンガ６４、さらには、接合部品１０、１０’、及び６０の場合におけるスロット１９を有するスタッド端部１８は、固定手段としての役割を果たし、これらの固定手段により、個々の連結要素１０、１０’、３０、４０、及び６０が移動する際に、それらの連結要素が離脱されないようになる。
【００４３】
バー構造体７０は、最終的に、例えばアバットメント５０によって、又はインプラントに対して直に、４つのインプラントに固定される。第１の例示的な実施例の場合におけるように、バー構造体７０は、球状支持面５１に当接する。接合部品１０は、バー構造体７０の２つの端部にて、第１の例示的な実施例の場合におけるように（図７を参照）固定され、これら２つの端部間に配置される接合部品１０’及び６０は、図１７に図示されるように設置される。
【００４４】
組み付けられた状態において、固定ねじ３０及び接合部品１０’は、第１の玉継手を形成し、接合部品１０’及び接合部品６０は、第２の玉継手を形成し、接合部品６０及び支持面５１は、第３の玉継手を形成する。図１７は、２つの接合部品１０’及び６０に設置されるバー４０が、インプラントが延在する方向であるｚ軸線に対して正確に直角に配置される状態を図示する。２つの接合部品１０’及び６０は、互いに無関係に、固定ねじ３０に対して、及び共通中心１２の周囲にて、枢動可能であり、あらゆる方向に枢動され得る。とりわけ、接合部品１０’及び接合部品６０は、ｘｚ平面内で上下方向に、並びに、ｘｙ平面内で前後方向に、枢動され得る。図１６においては、左側のバー４０が、最大限まで内方に枢動され、右側のバー４０が、最大限まで外方に枢動されている。
【００４５】
接合端部１０ａの壁部厚さは、好ましくは、接合端部１０’ａの壁部厚さ及び接合端部６０ａの壁部厚さの合計に実質的に一致し、そのため、接合部品１０の外面１５は、接合部品６０の外面６６と同一の距離だけ、中心１２から離間される。したがって、全てのインプラントについて、中心１２は、ｚ方向に見た場合に、同一の高さに位置する。
【００４６】
既に規定されたもの以外に、本明細書において説明される連結要素のコンセプトにより、多数の利点がもたらされる。
−  個々の連結要素１０、１０’、３０、４０、及び６０は、接合されることにより、偶発的に互いから離脱することが不可能になるが、依然として互いに対して移動可能な状態が維持されるように、集合構造体を形成することが可能である。これにより、取扱いがはるかに容易になる。さらに、バー構造体は、患者の口の所与の条件に直接的に適合化され、インプラントの上に簡単な態様で設置させることが可能となる。さらに、固定手段１１ｄ、１４、３０ｃ、１８、１９、及び６４によって、バー構造体を適合化し設置する際に、個々の連結要素が離脱され、患者がそれらを嚥下し得る危険性が、解消される。とりわけ、個々の連結要素が患者の気道内に進入することが防止されるため、誤嚥に対して安全上の保護がもたらされる。
−  事実上あらゆる方向において、インプラントの方向における逸脱を容易に補償することが可能となる。
−  バー構造体が実質的に無応力状態となる態様にて、連結要素１０、１０’、３０、４０、及び６０を設置することが可能となる。応力を生じ得るはんだ付け及びレージングが、不要となる。
−  連結要素１０、１０’、３０、４０、及び６０を、解除可能な連結によって、互いに接合させることが可能となる。バー構造体を、口から再度取り外すことが可能であり、必要に応じて、個々の連結要素を交換することが可能である。
−  バー構造体の高さが低い。その結果として、連結要素１０’及び６０、さらに３０の形状により、とりわけ、同一のインプラントに対する２つのバーの固定部の高さが、低くなる。
−  少数のそれぞれ異なる連結要素が、所要の要件に対してバー構造体を適合化させ得るのに十分なものとなる。
−  連結要素を予め製造することが可能となる。歯科医師が、診療時に直接、バー構造体を適合化させ挿入するのに必要な全てのステップを実施することが、可能となる。はんだ付け、成形等の複雑な手順が不要となる。患者の口内にバー構造体を設置した直後に、バー構造体を負荷にさらすことが可能となる。
−  アバットメントを使用することにより、バー構造体は、様々なタイプのインプラントに適合化され得るようになり、口内の所望の高さに適合化され得るようになる。
【００４７】
先述から、特許請求の範囲において規定される本発明の範囲から逸脱することなく、多数の修正形態を利用することが、当業者には可能となる。
【００４８】
本明細書において示される連結要素は、２つ、３つ、又はそれ以上のインプラントに対して使用され得る。
【００４９】
バー４０の外方形状は、必ずしも円形である必要はなく、別の形状からなるものであってもよい。
【００５０】
スタッド１０ｂ及び６０ｂが中に挿入される管状バー４０の代わりとして、ロッド形態端部１０ｂ及び６０ｂが、スリーブの形態であり、バーが、スリーブ内に挿入可能なロッドの形態である、相補的連結部が可能である。
【００５１】
第２の接合部品１０’のカラー１６は、外周溝をさらに有することが可能であり、それにより、外面１５’が、拡張され、接合部品１０’がｘｙ平面内において枢動可能となる最大角度が、拡大される。
【００５２】
スタッド端部１８は、バーに対する力の印加を実現するように膨張形態にて予め製造される必要性は必ずしもない。スロットを有するスタッドを形成し、結果的に得られる舌部を、連結要素が組み付けられる前に工具により押し離すことによって作動可能となるように、スタッド端部を設計することも可能である。
【００５３】
固定ねじ３０と接合部品１０’との、又は１０’と６０との間の連結部を固定するために、固定ねじ３０の上に設置されるＯリングを設けることも可能である。
【図１】
2010538706.tif 000003
【図２】
2010538706.tif 000004
【図３】
2010538706.tif 000005
【図４】
2010538706.tif 000006
【図５】
2010538706.tif 000007
【図６】
2010538706.tif 000008
【図７】
2010538706.tif 000009
【図８】
2010538706.tif 000010
【図９】
2010538706.tif 000011
【図１０】
2010538706.tif 000012
【図１１】
2010538706.tif 000013
【図１２】
2010538706.tif 000014
【図１３】
2010538706.tif 000015
【図１４】
2010538706.tif 000016
【図１５】
2010538706.tif 000017
【図１６】
2010538706.tif 000018
【図１７】
2010538706.tif 000019
【手続補正書】
【提出日】平成21年3月20日(2009.3.20)
【手続補正１】
【補正対象書類名】特許請求の範囲
【補正対象項目名】全文
【補正方法】変更
【補正の内容】
【特許請求の範囲】
【請求項１】
プロテーゼを固定するために口内に配置可能なバー構造体を形成するために、互いに連結可能である、連結要素を有する構成体であって、
第１の連結要素（１０；１０’；６０）であって、
インプラントに対して指定可能な角度位置においてこの第１の連結要素を固定するために固定ねじ（３０）の端部（３０ｃ）が貫通し得る貫通開口（１１）を有する、第１の端部（１０ａ；１０’ａ；６０ａ）、及び
バー（４０）に連結可能である第２の端部（１０ｂ；６０ｂ）
を有する、第１の連結要素（１０；１０’；６０）と、
第２の連結要素（３０；４０；１０’）であって、これら２つの連結要素が互いに対して移動可能となるように、解除可能な連結によって前記第１の連結要素に連結可能である、第２の連結要素（３０；４０；１０’）と
を備える、構成体において、
これら２つの連結要素が連結され移動される際に、これら２つの連結要素が互いから分離するのを妨げる固定手段（１１ｄ、１４、３０ｃ；１８、１９；６４）を特徴とする、構成体。
【請求項２】
前記第２の連結要素は、固定ねじ（３０）であり、前記固定手段は、前記固定ねじの端部（３０ｃ）を中にねじ込み得る、前記貫通開口（１１）中に形成されたねじ山部（１４）を備える、請求項１に記載の構成体。
【請求項３】
前記貫通開口（１１）は、前記ねじ山部（１４）を備える細長穴（１１ｄ）を有する、請求項２に記載の構成体。
【請求項４】
前記第１の連結要素（６０）の第１の端部（６０ａ）が、ボウル形態構造からなり、スナップ作用連結によって、前記第２の連結要素（１０’）の第３の端部（１０’ａ）に連結されるようになされる、請求項１から３までのいずれか一項に記載の構成体。
【請求項５】
前記第１の端部（６０ａ）は、フィンガ（６４）を有する、請求項４に記載の構成体。
【請求項６】
前記第１の連結要素（１０；１０’；６０）の前記第２の端部（１０ｂ；６０ｂ）は、ロッドの形態であり、前記第２の連結要素は、前記第２の端部に固定可能なバー（４０）である、請求項１から５までのいずれか一項に記載の構成体。
【請求項７】
前記固定手段（１１ｄ、１４；１８、１９；６４）は、前記バー（４０）に力を加えるために、前記第２の端部（１０ｂ；６０ｂ）に配置されたクランプ手段（１８、１９）を備える、請求項６に記載の構成体。
【請求項８】
前記第２の端部（１０ｂ；６０ｂ）は、クランプ手段（１８、１９）を形成するために少なくとも１つのスロット（１８）を有する、及び／又は、広がるように設計される、請求項７に記載の構成体。
【請求項９】
前記第１の連結要素（１０；１０’；６０）の前記第１の端部（１０ａ；１０’ａ；６０ａ）は、実質的に球状の外面（１５；１５’；６６）、及び／又は実質的に球状の内面（１１ｃ；６５）を備える、請求項１から８までのいずれか一項に記載の構成体。
【請求項１０】
前記第２の連結要素（３０；１０’）は、実質的に球状の外面（３１；１５’）及び／又は実質的に球状の内面（１１ｃ）を備える、端部（３０ａ；１０’ａ）を有する、請求項１から９までのいずれか一項に記載の構成体。
【請求項１１】
プロテーゼが固定され得るバー構造体を形成するための構成体であって、
第１の連結要素（６０）であって、
第１の貫通開口（６１）を有する第１の端部（６０ａ）、及び
第１のバー（４０）に連結可能な第２の端部（６０ｂ）
を有する、第１の連結要素（６０）と、
第２の連結要素（１０’）であって、
第２の貫通開口（６１）を有する第３の端部（１０’ａ）、及び
第２のバー（４０）に連結可能な第４の端部（１０ｂ）
を有する、第２の連結要素（１０’）と
を備える、構成体において、
各場合において、前記第１の端部（６０ａ）及び前記第３の端部（１０’ａ）は、実質的に球状の内面（６５、３１）、及び実質的に球状の外面（６６、１５’）を備えることを特徴とする、構成体。
【請求項１２】
前記第１の連結要素（６０）の前記第１の端部（６０ａ）は、ボウル形態構造からなり、スナップ作用連結により、前記第２の連結要素（１０’）に連結可能である、請求項１１に記載の構成体。
【請求項１３】
前記第１の端部（１０ａ；１０’ａ）は、前記の又は１つの固定ねじ（３０）の前記頭部（３０ａ）が中に沈むことが可能な環状構造からなる、請求項１から１２までのいずれか一項に記載の構成体。
【請求項１４】
前記第１の連結要素（１０、１０’；６０）の両端部（１０ａ、１０ｂ；１０’ａ、１０ｂ；６０ａ、６０ｂ）が、互いに対して剛体的に連結され、これは、好ましくは単体部材として製造される、請求項１から１３までのいずれか一項に記載の構成体。
【請求項１５】
前記インプラントに固定可能であり、球状支持面（５１）を備える、少なくとも１つのアバットメント（５０）を有する、請求項１から１４までのいずれか一項に記載の構成体。
【請求項１６】
ネック部（３０ｂ）によって前記ねじ付き端部（３０ｃ）に連結される頭部（３０ａ）を有し、前記頭部（３０ａ）は、第１の実質的に球状の外面（３１）及び第２の実質的に円錐状の外面（３２）を備える、請求項１から１５までのいずれか一項に記載の構成体のための固定ねじ（３０）において、
前記第１の外面（３１）は、前記第２の外面（３２）に隣接する、及び／又は
前記ネック部（３０ｂ）の直径が、前記ねじ付き端部（３０ｃ）の直径よりも小さいことを特徴とする、固定ねじ（３０）。
【請求項１７】
前記頭部（３０ａ）は、好ましくは多辺形である凹部（３３）を有する、請求項１６に記載の固定ねじ（３０）。
【国際調査報告】
2010538706.tif 000020
2010538706.tif 000021
2010538706.tif 000022
2010538706.tif 000023
2010538706.tif 000024
2010538706.tif 000025
2010538706.tif 000026
2010538706.tif 000027
2010538706.tif 000028
2010538706.tif 000029